Podtech/llm-jp-corpus-v4-ja_patent huggingface dataset:
(57)【要約】【課題】コイル材の貼り付きを生じない平板リフタを備えた送り抜き型を提供する。  【解決手段】  下型上に弾性的に水平支持された平板リフタ８を設け、平板リフタ８上を滑るように側方からコイル材を供給して抜き刃で切断するようにした送り抜き型において、平板リフタ８の平板面８ａに、コイル材を疵つけない程度の深さの直線状空気溝８４を、材料送り方向に対し４５度で傾斜させて互いに交差するように複数形成する。【選択図】        図１
2009056509.tif 000002
【特許請求の範囲】
【請求項１】
下型上に弾性的に水平支持された平板リフタを設け、当該平板リフタ上を滑るように側方からコイル材を供給して抜き刃で切断するようにした送り抜き型において、前記平板リフタの平板面に、前記コイル材を疵つけない程度の深さの空気溝を互いに交差するように材料送り方向へ複数形成したことを特徴とする送り抜き型。  
【請求項２】
前記空気溝を、材料送り方向に対し４５度で傾斜する直線溝とした請求項１に記載の送り抜き型。
【発明の詳細な説明】
【技術分野】
【０００１】
本発明は送り抜き型に関し、特に、送り抜き型に供給されるコイル材を下型上で持ち上げ支持する平板リフタを備える送り抜き型に関する。
【背景技術】
【０００２】
車両の外板等に使用する薄い鋼板を円筒状に巻いたコイル材を引き出して、所定の打ち抜き加工を行うとともに所定長さに切断する送り抜き型があり、その一例を図４に示す。図４（１）において、送り抜き型の下型１はボルスタ２上に固定されており、下型１上には複数のバネ部材３で略水平姿勢に弾性支持された平板リフタ４が設けられている。ボルスタ２に対向する上方のスライダ５には上型６が固定されている。巻き取られたコイル材７は矢印のように引き出されて平板リフタ４上に送り出され、上型６の下降により必要部が打ち抜かれて、上型６が上昇した後、所定量送られる。
【０００３】
次のサイクルでの上型６の下降によって（図４（２））、新たなコイル材部分７２が打ち抜き加工されるとともに、打ち抜き加工を終えた前サイクルのコイル材部分７１が、上型６と下型１にそれぞれ設けた上抜刃６１と下抜刃１１によって切断され切り離される。なお、特許文献１には、コイル材の両側縁を上下から挟持する搬送ローラを備えたリフタが示されている
【特許文献１】特開２００５−１１８８１２
【発明の開示】
【発明が解決しようとする課題】
【０００４】
ところで、平板リフタ４はコイル材７の表面への疵付きを防止するために一枚板とされており、その構造が簡易な点で有利であるが、往々にして図４（３）に示すように表面の油分によってコイル材７が平板リフタ４の平板面４ａに貼り付いてしまい、送り不良を生じて生産ラインが停止するという問題があった。
【０００５】
そこで、本発明はこのような課題を解決するもので、コイル材の貼り付きを生じない平板リフタを備えた送り抜き型を提供することを目的とする。
【課題を解決するための手段】
【０００６】
上記目的を達成するために、本発明では、下型（１）上に弾性的に水平支持された平板リフタ（８）を設け、平板リフタ（８）上を滑るように側方からコイル材（７）を供給して抜き刃（１１，６１）で切断するようにした送り抜き型において、平板リフタ（８）の平板面（８ａ）に、コイル材（７）を疵つけない程度の深さの空気溝（８４）を互いに交差するように材料送り方向に対し傾斜させて複数形成する。この場合の空気溝（８４）は、材料送り方向に対し４５度で傾斜する直線溝とするのが良い。
【０００７】
本発明において、材料送り方向へ空気溝を形成した平板リフタの平板面上にコイル材が供給されると、空気溝内の空気は材料の進行方向へ流動させられる。空気溝は互いに交差するよう形成されているから、空気溝内を流動する空気は空気溝の各交点で合流して上方へ噴き出す。この空気の噴き出しによってコイル材の材料面が平板面に密着するのが防止される。
【０００８】
なお、上記カッコ内の符号は、後述する実施形態に記載の具体的手段との対応関係を示すものである。
【発明の効果】
【０００９】
以上のように、本発明の送り抜き型は、その平板リフタへのコイル材の貼り付きが効果的に防止されるから、コイル材の送り不良を生じて生産ラインが停止するという問題が回避される。
【発明を実施するための最良の形態】
【００１０】
図１には本発明の送り抜き型における平板リフタ８の平面図を示す。なお、送り抜き型全体の構造は既に説明した従来のものと同様である。平板リフタ８はコイル材の打ち抜き形状に沿った外形を有し、その平板面８ａには打ち抜き用の開口８１，８２が形成されている。コイル材は図の右方から供給されて左方へ送り出されるが、コイル材の材料面が接触し通過する平板面領域（図の破線で囲まれた領域）８３には全面に以下に説明するような空気溝８４が形成されている。
【００１１】
図２には上記領域８３の部分拡大断面図を示す。平板面８ａ上に形成された空気溝８４は円弧状に凹陥する断面に形成されており、その深さｄは、平板面８ａに接して移動するコイル材７の材料面を疵つけない程度としてある。空気溝８４の断面形状の一例としては、円弧の曲率半径Ｒを３０ｍｍ、深さｄを０．５ｍｍとする。このような空気溝はドリル先端で平板面を切削することによって簡易に形成することができる。
【００１２】
図３には上記領域８３の部分拡大平面図示す。空気溝８４はコイル材の進行方向に対して傾斜させてその一群が複数平行に形成されるとともに、他の群は上記一群に対し対称的にこれらに交差するように傾斜させて複数平行に形成されている。ここで、空気溝８４の形成間隔Ｄの一例は１００ｍｍであり、コイル材進行方向（図中矢印）に対する空気溝８４の傾斜角θは４５度とするのが好適である。
【００１３】
このような空気溝８４を形成した平板リフタ８の平板面８ａ上にコイル材７が供給されて図３の矢印方向へ進行すると、空気溝８４内の空気は材料の進行方向へ流動させられ、空気溝８４の各交点８４１で合流して上方へ噴き出す。この空気の噴き出しによってコイル材７の材料面７ａが平板面８ａに密着するのが防止され、この結果、コイル材７が平板面７ａに貼り付いて送り不良を生じるという問題が解消される。なお、空気溝８４の傾斜角θは必ずしも４５度とする必要はない。また、空気溝８４は必ずしも直線状とする必要もない。
【図面の簡単な説明】
【００１４】
【図１】本発明の一実施形態を示す、平板リフタの全体平面図である。
【図２】平板リフタの部分拡大断面図である。
【図３】平板リフタの部分拡大平面図である。
【図４】平板リフタを備える従来の送り抜き型の垂直概略断面図である。
【符号の説明】
【００１５】
１…下型、１１…抜き刃、３…バネ部材、６…上型、６１…抜き刃、７…コイル材、８…平板リフタ、８ａ…平板面、８４…空気溝。
【図１】
2009056509.tif 000003
【図２】
2009056509.tif 000004
【図３】
2009056509.tif 000005
【図４】
2009056509.tif 000006
(57)【要約】【課題】従来のシート及びベッド等は、シートクッションの後端部に配置されるリクライニング機構によって、バックシートの傾斜角度を調整出来るものがあるが、バックシートをリクライニング（後傾）させた際には、上体がバックシートに対して、クッション側へ相対的にズレを伴い背ズレが生じてしまい背もたれとしての支持機能が充分に得られておらず、又衣服等が捲れ上がってしまうという問題があった。【解決手段】モータの回転に従い、ねじロッドが回転運動を起こし軸受に設置されたねじナットが、ねじロッド上をスライド移動する。バックシートはピンを介して軸受と連結している事から、ねじナットのスライド移動と同時にピンが長穴を移動すると、バックシートの傾斜角度が変更される。バックシートがリクライニングの際に、図２に示すようにＳ間を移動している事により背ズレが生じるような事はなくなる。【選択図】図３
2009056268.tif 000002
【特許請求の範囲】
【請求項１】
シート及びベッド等に用いられるリクライニング機構において、モータの回転運動に従い、バックシートの傾斜角度を自在に調整出来、かつ角度調整に連動してバックシートが背ズレ解消に相対的に移動していく機構。
【請求項２】
請求項１に必要とする機器をシートクッション下へ備える機構。
【発明の詳細な説明】
【技術分野】
【０００１】
本発明は、車両等のシートのバックシートを後傾させる時に、背中の位置ズレを極力解消することが出来る電動式リクライニング装置に関する。
【背景技術】
【０００２】
従来の車両等のシートは、例えば図１により説明すると、座るシートクッションと、このシートクッションの後端部に（図示されてはいないが）隣接して配置されるリクライニング機構によって、バックシートの傾斜角度を調整出来るもの等がある。（図１、特許文献１参照）又、傾斜させる際の体の中心軸付近に、（中心となる）ピンを肘掛部に設置し、連結棒、吊下板を介して背ズレを緩和出来るリクライニング装置も使用されている。（特許文献２参照）
【特許文献１】特開２００１−２７０３５１号公報
【特許文献２】特開２００５−３２９１０２号公報
【発明の開示】
【発明が解決しようとする課題】
【０００３】
しかしながら図１（特許文献１）の装置において、バックシートをリクライニング（後傾）させた際には、上体がバックシートに対して、クッション側へ相対的にズレ、図１に示すように背ズレが生じてしまい、支持機能が充分に得られておらず、又衣服等が捲れ上がってしまう等の問題があった。特許文献２の装置では、背ズレ感は穏和されるが、肘掛内にリクライニング装置が設置してあり、必ず肘掛が必要となる為、一方向以外からは座る事が出来ない。
【課題を解決するための手段】
【０００４】
本発明は上述の問題を解決するもので、バックシートのリクライニング（後傾）時に位置ズレを極力解消することが出来る電動式リクライニング装置である。
【０００５】
シートのクッションの下に、モータとねじロッドを設置し、モータに連結されるギアＡと、ねじロッドに連結されるギアＢをベルトにより連結させる。
【０００６】
ねじロッドには、ねじナットを要した軸受を通す。
【０００７】
バックシートの側面に上下２つずつピンＡとＢを設置し、下端部にあるピンＢは軸受と連結させる。ピンＡとＢはサイドカバーに設置された長穴ＡとＢにそれぞれ取り付ける。
【０００８】
従って、モータの回転に伴い、ねじロッドが回転運動を起こし、軸受に設置されたねじナットが、ねじロッド上をスライド移動する。バックシートはピンＢを介して軸受と連結している事から、ねじナットのスライド移動と同時にピンＡとＢが長穴ＡとＢを移動してバックシートの傾斜角度が変更される。
【０００９】
以上の装置により、モータの回転運動に従いバックシートの傾斜角度を調整する事が出来る。（以上図２〜図４参照）
【発明の効果】
【００１０】
図１のような従来のシートは、バックシートが傾斜する際に、バックシート下部を中心軸として、固定した支点でリクライニングさせている為に、背ズレが生じていた。だが本発明では、バックシートがリクライニングの際に、図２に示すようにＳ間を移動する事により、背ズレが生じるような事はなくなる。従って背もたれとしての支持機能も充分に得られ、衣服等が捲れ上がるという問題も解決される。
【００１１】
本発明はリクライニングさせる為の装置を全てシートクッションの下へ備えている事から、肘掛を設置しなければシートへ３方向から座る事が可能で、肘掛を必ず要する特許文献２のリクライニング装置のように、一方向以外からは座る事が出来ないという不便さがなくなる。
【００１２】
本発明のリクライニング装置は、シートのみならず、応用として２つのモータを設置すれば、背・脚上げ連動リクライニング及び独立リクライニングが可能となり、電動ベッドや介護ベッド等にも使用可能となる。
【発明を実施するための最良の形態】
【００１３】
以下本発明の形態を図１〜図４に基づき説明する。
【００１４】
図１は従来のリクライニング機構を要するシート使用図である。バックシートが傾斜する際にバックシート下部を中心軸として、固定した支点でリクライニングさせている為に背ズレが生じ、背もたれとしての支持機能が充分に得られておらず、又衣服等が捲れ上がってしまう等の問題があった。
【００１５】
図２は本発明のリクライニング機構を要するシート使用図である。図１のシートに対して、本発明はバックシートが傾斜する際に、バックシートがＳ間を移動する事により、図１のような背ズレが生じるような事はなくなる。従って背もたれとしての支持機能も充分に得られ、衣服等が捲れ上がるという問題も解決される。
【００１６】
図３は本発明の斜視図、図４は側面図である。シートのクッションの下に、２と１１を設置し、２に連結される１２と、１１に連結される１３を１４により連動させる。１１には、６を要した５を通す。又１の側面に３、４を設置し、４は５と連結させ、３、４を７に設置された８、９に挿入させる。従って、２の回転に伴い、２本の１１が連動する回転運動を起こし、５に設置された６が１１上をスライド移動する。１は４を介して５と連結している事から、６のスライド移動と同時に３、４が８、９の軌道を移動して、１の傾斜角度が変更される。以上の装置により、２の回転運動に従い１の傾斜角度を相対的に連動させ背ズレを吸収する事が出来る。全装置を全てシートクッション下へ備えている事から、肘掛を設置しなければシートへ３方向から座る事が可能になり、座るたびにシートを回転させる手間も省ける。
【図面の簡単な説明】
【００１７】
【図１】従来のシート使用例
【図２】本案のシート使用例
【図３】本案シート斜視図
【図４】本案シート側面図
【符号の説明】
【００１８】
１．バックシート
２．モータ
３．ピンＡ
４．ピンＢ
５．軸受
６．ねじナット
７．サイドカバー
８．長穴Ａ
９．長穴Ｂ
１１．ねじロッド
１２．ギアＡ
１３．ギアＢ
１４．ベルト
【図１】
2009056268.tif 000003
【図２】
2009056268.tif 000004
【図３】
2009056268.tif 000005
【図４】
2009056268.tif 000006
(57)【要約】【課題】ニードルレスアクセスポートの先端部及び弁体を外気からの落下菌等の付着を防ぎ、使用時に医療従事者による消毒剤を使用したニードルレスアクセスポートの先端部及び弁体への清拭消毒を必要としないニードルレスアクセスポート用保護キャップを提供する。【解決手段】一端が開放され、他端が閉鎖された筒形構造の保護キャップにおいて、前記キャップ内に消毒用エタノールや７０％アルコールまたはポビドンヨード等の消毒剤を含浸したスポンジ等のポート部保護材を有したニードルレスアクセスポート用保護キャップの構造。【選択図】図４
2009056273.tif 000002
【特許請求の範囲】
【請求項１】
一端が開放され、他端が閉鎖された筒形構造の保護キャップにおいて、前記キャップ内に消毒用エタノールや７０％アルコールまたはポビドンヨード等の消毒剤を含浸したスポンジ等のポート部保護材を有したニードルレスアクセスポート用保護キャップの構造。
【発明の詳細な説明】
【技術分野】
【０００１】  この発明は、ニードルレスアクセスポート用保護キャップの構造に関するものである。
【背景技術】
【０００２】  従来、ニードルレスアクセスポートの先端部及び弁体を保護する保護キャップは無かった。
【発明の開示】
【発明が解決しようとする課題】
【０００３】  これらは次のような欠点があった。
（イ）ニードルレスアクセスポートの先端部及び弁体には保護キャップが無いため、常に      外気にさらされており、落下菌等の付着により汚染されている可能性があった。
（ロ）医療従事者は、前記の事由により、ニードルレスアクセスポートにある弁体に設け      られたスリットに注射器等の管体を挿入し薬液等を注入する際は、その都度、ニー      ドルレスアクセスポートの先端部及び弁体を消毒剤で清拭消毒をしなければならな      かった。
【課題を解決するための手段】
【０００４】    一端が開放され、他端が閉鎖された筒形構造の保護キャップにおいて、前記キャップ内に消毒用エタノールや７０％アルコールまたはポビドンヨード等の消毒剤を含浸したスポンジ等のポート部保護材を有したニードルレスアクセスポート用保護キャップの構造。
【発明を実施するための最良の形態】
【０００５】  以下、本発明の実施形態について図面を参照にしながら説明する。
図１は本実施形態の保護キャップをニードルレスアクセスポートに被せる前の分解側面図である。
図２は本実施形態の保護キャップをニードルレスアクセスポートに被せた状態の側面図である。
図３は本実施形態の保護キャップの断面図である。
図４は本実施形態の保護キャップをニードルレスアクセスポートに被せた状態の断面図である。
保護キャップ１はポリプロピレン製で一端が開放され、他端が閉鎖された筒形構造に作製されており、開放された一端側には、ねじ係合するためのねじ列を含む首部１ａが形成されている。この首部１ａより径大の胴部１ｂが形成されている。保護キャップ１にはニードルレスアクセスポート２の先端部４及び弁体５を保護し、消毒する為の消毒用エタノールや７０％アルコール又はポビドンヨード等の消毒剤を含浸したスポンジ等のポート部保護材３が設けられている。【０００６】  保護キャップ１は図４に示す如く、先端部４及び弁体５を被うことにより、これらを外気にさらすことなく、落下菌等の付着を防ぐことができる。【０００７】  ポート部保護材３として消毒用エタノールや７０％アルコール又はポビドンヨード等の消毒剤を含浸したスポンジ等を保護キャップ１の内側に設けることにより、図４に示す如くニードルレスアクセスポート２の先端部４及び弁体５を消毒することができる【０００８】  保護キャップ１の使用について説明する。図４において、ニードルレスアクセスポート２に保護キャップ１を被せねじ係合するとポート部保護材３は先端部４及び弁体５に接触し、これらを保護する。またポート部保護材３に含浸された消毒剤により先端部４及び弁体５を消毒することができる。
【発明効果】
【０００９】  本発明によって、ニードルレスアクセスポート２の先端部４及び弁体５は外気にさらされることは無く、落下菌等の付着を防ぐことができる。また保護キャップ１の内側に装着された消毒剤を含浸したポート部保護材３は先端部４及び弁体５に接しており、これらを消毒することができる。このことにより、医療従事者はニードルレスアクセスポート２にある弁体５に設けられたスリット８に注射器等の管体を挿入し薬液を注入する際は、従来のように、ニードルレスアクセスポート２の先端部４及び弁体５を消毒剤による清拭消毒する必要はなく保護キャップ１を取りはずすだけで直ちに医療行為ができる。
【図面の簡単な説明】
【００１０】
【図１】本実施形態の保護キャップをニードルレスアクセスポートに被せる前の分解側面図である。
【図２】本実施形態の保護キャップをニードルレスアクセスポートに被せた状態の側面図である。
【図３】本実施形態の保護キャップの断面図である。
【図４】本実施形態の保護キャップをニードルレスアクセスポートに被せた状態の断面図である。
【符号の説明】
【００１１】１    保護キャップ
１ａ  首部
１ｂ  胴部
２    ニードルレスアクセスポート
３    ポート部保護材
４    先端部
５    弁体
６    ハウジング
７    オスコネクター
８    スリット
【図１】
2009056273.tif 000003
【図２】
2009056273.tif 000004
【図３】
2009056273.tif 000005
【図４】
2009056273.tif 000006
(57)【要約】【課題】  既成のストラップのついていないパンプスの、歩きやすさ、脱げにくさを向上させる。【解決手段】  伸縮性のある、幅広のゴムのストラップをパンプスの底部から、足の甲の部分を一周させ、ホックでとめる。【選択図】図１
2009056272.tif 000002
【特許請求の範囲】
【請求項１】
既成のストラップのついていないパンプスに取り付け、歩きやすさ、脱げにくさを向上させたストラップ。
素材を伸縮性のある、幅広のゴムにし、足にフィットさせ、ホックでとめることにより、着脱が容易にでき、かつ、使い回しができる。
【発明の詳細な説明】
【発明の詳細な説明】
【技術分野】
【０００１】  本発明は、既成の、ストラップのついていないパンプスの、底部から足の甲までを一周させたゴムを、ホックで簡単に取り付けることにより、押さえが効き、歩きやすさ、脱げにくさの向上をはかったものである。
【背景技術】
【０００２】  ストラップのついていないパンプスでは、甲の深いデザインの靴や、ストラップのある靴より、比較的、歩きにくかったり、脱げやすかったりし、足に負担がかかるものがあった。
【発明を実施するための最良の形態】
【０００３】  ストラップのついていないパンプスの上から、幅広のゴムのひもを、底部と甲の部分を一周させ、ホックでとめる。
【発明の効果】
【０００４】  既成のパンプスに取り付ける事により、足の甲をストラップが押さえるので、比較的、歩きやすく、脱げにくくなる。
【図面の簡単な説明】
【図１】  既成のパンプスに取り付けた際の、側面からみた図である。
【図２】  上からみた図である。
【図１】
2009056272.tif 000003
【図２】
2009056272.tif 000004
(57)【要約】【課題】消臭、脱臭装置を具備したポールハンガー。【解決手段】ポール１には１つ叉は複数のハンガー２が設けられ、底面にベース３を形成、前記ポール１最上部に消臭脱臭を行うオゾン発生装置４を係合、該オゾン発生装置４は電源ＳＷ７、電源コード８、及び電源プラグ９で形成、前記オゾン発生装置４より発生する紫外線及びオゾンは該オゾン発生装置に設けられたブラインド１０により斜下に放射されるように構成している。【選択図】図１
2009056275.tif 000002
【特許請求の範囲】
【請求項１】
ポールハンガーに於いて、衣類の消臭、脱臭を目的としたオゾン消臭機能を設けた事を特徴とするポールハンガー。
【請求項２】
前記ポールハンガーに於いて、オゾン発生装置を、該ポールハンガーの最上部に設けた事を特徴とする請求項１記載のポールハンガー。
【請求項３】
前記ポールハンガーに於いて、芳香物質を、該ポールハンガーの最上部に設けた事を特徴とする請求項１及び２記載のポールハンガー。
【発明の詳細な説明】
【技術分野】
【０００１】本発明は、消臭、脱臭装置を具備したポールハンガーに関するものである。
【背景技術】
【０００２】現在、ポールハンガーは衣類、帽子叉は小物掛けに最適で、一般家庭や宿泊施設等で多く利用されている。【０００３】又、省スペースで活用出来るポールハンガーは室内での置き場所を選ばずインテリアの一部としての存在もある。【０００４】ポールハンガーの大方の利用方法は着用後の洋服、コート等の上着を帰宅時等にかけるケースが多く、日時をあける事なく、その衣服を着用する場合が多い。【０００５】つまり普段あまり着用しない衣類衣服は、クローゼット等に収納し、着用頻度が多い、又着脱時間が短い衣服に利用する場合が多い。【０００６】前記のように着用頻度が多い衣服は当然汗、汚れ等にさらされ家庭で洗濯出来る衣類は、汗、汚れを洗い落とせるが、背広、ジャケット等はクリーニングも頻繁に行えず汗、汚れを溜込む場合が多く、気付かないうちに干臭、悪臭の原因となってしまう。
【発明が解決しようとする課題】
【０００７】着用頻度が多い衣服は、クリーニングする事も少なく、多くの場合季節の変わり目等にクリーニングする程度である。従って夏季に於ける男性の背広、ジャケット等は、蓄積された汗、汚れ等によって臭い（汗臭、悪臭）を発生する。
【０００８】夏季に於ける、通勤通学などで利用する公共交通機関（電車バス等）車内では混雑時の気温上昇もプラスされ、発生する臭いは一種の公害とも言える。
【課題を解決する手段】
【０００９】本発明は汗、汚れ等により発生する衣服の汗臭、悪臭をオゾン消臭脱臭機能を有した装置をポールハンガー最上部に設け、該ポールハンガーに衣服をかけ、前記オゾン消臭脱臭機能を動作させ消臭、脱臭を行うものである。
【００１０】前記したオゾン発生には、ＵＶランプを使用したオゾン発生装置であって、ＵＶランプ方式は紫外線を空気に当てオゾンを発生させるもので、既に空気清浄、殺菌、脱臭等多くの分野で利用されている。
【００１１】又、ＵＶランプ方式のオゾン発生は、高濃度のオゾンは得られないが酸化力の強いオゾンが人体に害を与えない様、０．１ｐｐｍ以下に発生を押さえ、紫外線に於いても波長２５４ｍｍ及び１８５ｍｍの短い波長であり、かつ、ポールハンガー最上部に設けたＵＶランプの光が直接人の目に入る事の無い様に円形状のブラインドを１箇所叉は複数箇所設け最上部よりポールハンガーにかけた衣服に放射出来るように構成している。
【発明の実施と形態】
【００１２】本発明の構成を図１〜図３によって説明する。
ポール１には１つ叉は複数のハンガー２が設けられ、底面にベース３を形成、前記ポール１最上部に消臭、脱臭を行うオゾン発生装置４を係合構成している。
【００１３】前記オゾン発生装置４はオゾン発生回路５にＵＶランプ６接続され、該オゾン発生回路５、電源ＳＷ７、電源コード８に係合した電源プラグ９により構成されている。
【００１４】又、ＵＶランプより発生する紫外線及びオゾンは、オゾン発生装置４に設けられたブラインド１０により斜下に放射されるように構成している。
【実施例】
【００１５】ポール１、ハンガー２、ベース３、オゾン発生装置４で構成されたポールハンガーに電源プラグ９を介し１００Ｖ電源に挿入し電源ＳＷ７をＯＮにするとオゾン発生回路５が動作しＵＶランプ６が点灯し各ブラインドの隙間より紫外線及びオゾンが放射されハンガー２に吊り下げた衣服１３ａ、１３ｂに照射され消臭、脱臭される。【００１６】前記ポール１最上部に設けたオゾン発生装置４内上部にモータ１１にファン１２設け該ファンを回転させる事によりオゾン効果を高める事を可能にしている。【００１７】又、ポールハンガー全体に伸縮カバー１４を掛け消臭、脱臭をする事も可能にしている。【００１８】前記オゾン発生装置４を単独にユニット化して、ポール１最上部に取り付ける事を可能にしている。【００１９】前記ポール１最上部に、芳香物質１５、例えば天然檜（フィトンチッド）等を内蔵して消臭、脱臭を可能にしている。
【発明の効果】
【００２０】常時着用する衣服の消臭、脱臭が容易に出来効果が大きい。
【図面の簡単な説明】
【００２１】
【図１】本発明の消臭機能付ポールハンガーを示す斜視図。
【図２】本発明の消臭機能付ポールハンガーのポール最上部に取付けたオゾン発生装置の形態を示す斜視図。
【図３】本発明の消臭機能付ポールハンガーに取付けたオゾン発生装置部分を示す縦断面図。
【図４】本発明の消臭機能付ポールハンガーのオゾン発生装置部分にファンを取付けた状態を示す縦断面図。
【図５】本発明の消臭機能付ポールハンガーに衣服を掛けた実施例を示す斜視図。
【図６】本発明の消臭機能付ポールハンガーに衣服を掛け該ポールハンガー全体に伸縮カバーを掛けた状態を示す斜視図。
【図７】本発明の消臭機能付ポールハンガーのポール最上部にオゾン発生装置をユニット化し、取付けを可能にした状態を示す斜視図。
【図８】本発明の消臭機能付ポールハンガーのポール最上部に芳香物質を取付けた状態を示す縦断面図。
【符号の説明】
【００２２】１：ポール
２：ハンガー
３：ベース
４：オゾン発生装置
５：オゾン発生回路
６：ＵＶランプ
７：電源ＳＷ
８：電源コード
９：電源プラグ
１０：ブラインド
１１：モータ
１２：ファン
１３ａ、ｂ：衣服
１４：伸縮カバー
１５：芳香剤
【図１】
2009056275.tif 000003
【図２】
2009056275.tif 000004
【図３】
2009056275.tif 000005
【図４】
2009056275.tif 000006
【図５】
2009056275.tif 000007
【図６】
2009056275.tif 000008
【図７】
2009056275.tif 000009
【図８】
2009056275.tif 000010
(57)【要約】      （修正有）【課題】バイオリンを持った人形の足底を通した操りひもを引いたり、緩めたりするだけで、人形がバイオリンを演奏する動作を操るきわめて簡単な人形を操るバイオリンの弓の往復装置を提供する。【解決手段】肩、肘、手首が自在に動く、胴体が空洞の人形（１）に、駒部に操り紐を通す通し穴を開けたバイオリンと弓を持たせる。弓の毛箱部に操り紐の一端を結び、弓のヘッド部に操り紐の一端を結ぶ。操り紐を通し穴に通し、人形（１）のバイオリンの尾止め板部（９）を宛がう真下に開けた通し穴（１０）に通し、操り紐の一方の端を引っ張りバネ（１１）の一方の端に接合し、引っ張りバネ（１１）のもう一方の端を人形（１）の右足底部（１２）に弓の毛箱部が最も接近する位置に、長さを調整し固定する。操り紐のもう一方の端を人形（１）の左足底部（１３）に開けた通し穴（１４）に通す。【選択図】図２
2009056278.tif 000002
【特許請求の範囲】
【請求項１】
バイオリンの弓とつながった操り紐を、引いたり緩めたりして弓の動きを自由に制御する装置。
【発明の詳細な説明】
【発明の詳細な説明】
【技術分野】
【０００１】この考案は一本の操り紐を引っ張ったり緩めたりするだけで、人形にバイオリン（弓を使う弦楽器全般）を引く動作を連動する装置に関するものである。
【背景技術】
【０００２】従来、弦楽器の弓の駆動で人形を動かす装置はなかった。
【発明が解決しようとする課題】
【０００３】これには次のような欠点があった。
人形本体の動きを操作する装置によるバイオリン（弓を使う弦楽器全般）の演奏動作を人形に作り出すには複雑な機構を要した。
【課題を解決する為の手段】
【０００４】肩、肘、手首が自在に動く、胴体が空洞の人形（１）に、駒部に操り紐（２）と（３）を通す通し穴（４）を開けたバイオリン（５）と弓（６）を持たせる。弓（６）の毛箱部（７）に操り紐（２）の一端を結び、弓（６）のヘッド部（８）に操り紐（３）の一端を結ぶ。操り紐（２）と（３）を通し穴（４）に通し、人形（１）のバイオリンの尾止め板部（９）を宛がう真下に開けた通し穴（１０）に通し、操り紐（２）の一方の端を引っ張りバネ（１１）の一方の端に接合し、引っ張りバネ（１１）のもう一方の端を人形（１）の右足底部（１２）に弓（６）の毛箱部（７）が最も接近する位置に、長さを調整し固定する。操り紐（３）のもう一方の端を人形（１）の左足底部（１３）に開けた通し穴（１４）に通す。
【作用】
【０００５】操り紐（３）を引くと、引いた分だけ弓（６）のヘッド部（８）が通し穴（４）に近づき、緩めると緩めた分だけヘッド部（８）は引っ張りバネ（１１）の作用で元の位置に戻り、引っ張る速さが速ければ速く、遅ければ遅く動くのである。
【実施例】
【０００６】（イ）操り紐（２）の長さを弓（６）の毛箱部（７）に最も近づく長さに調節する。
【発明の効果】
【０００７】人形（１）の右足底部（１２）に、操り紐（１２）に接続した引っ張りバネ（１１）を固定し、人形（１）の左足底部（１３）に開けた通し穴（１４）を通した操り紐（３）を、引いたり緩めたりするだけで人形（１）にバイオリンを弾く弓（６）を自在に動かし、演奏する動作を与える事ができる極めて簡単な人形にバイオリンを弾かせる弓の装置である。
【図面の簡単な説明】
【図１】本考案のバイオリンと弓部の一部を欠いた斜視図である。
【図２】本考案のバイオリンと弓部及び人形の一部を欠いた斜視図である。
【符号の説明】
１  人形（１）                            ８  ヘッド部（８）
２  操り紐（２）                          ９  尾止め板部（９）
３  操り紐（３）                        １０  通し穴（１０）
４  通し穴  （駒部）（４）              １１  引っ張りバネ（１１）
５  バイオリン（５）                    １２  右足底部（１２）
６  弓（６）                            １３  左足底部（１３）
７  毛箱部（７）                        １４  通し穴（１４）
【図１】
2009056278.tif 000003
【図２】
2009056278.tif 000004
(57)【要約】【課題】  本発明は掃除機の延長管に袋状になった不織布を取り付けることによりゴミや埃ペットの毛等を逃がすことなく掃除機本体を衛生的に保つ。【解決手段】  本発明は掃除機の延長管に袋状の不織布を取り付けることにより、ゴミや埃ペットの毛等を逃がすことなく絡め取り、吸い取ったゴミや埃ペットの毛等が本体に侵入するのを防ぎ、使用後は使い捨てることにより掃除機本体を常に衛生的に保ち悪臭防止にもなる。【選択図】図３
2009056276.tif 000002
【特許請求の範囲】
【請求項１】
形状が袋状になり延長管に取り付けて使用することを目的とした不織布からなる使い捨て可能な掃除機延長管用取り付け具。
【請求項２】
素材については請求項１に記載の不織布のみにとどまらず、その他の素材も含まれる掃除機延長管用取り付け具。
【請求項３】
形状については請求項１に記載の袋状のみにとどまらず丸型や三角形等その他の形状も含まれる掃除機延長管用取り付け具。
【発明の詳細な説明】
【技術分野】
【０００１】  本発明は掃除機の延長管に容易に着脱が可能で掃除機本体を汚すことなく、ゴミ捨てが簡単にできる、掃除機延長管用取り付け具に関するものである。
【背景技術】
【０００２】  従来、掃除機をかけた場合、本体の中にゴミや埃ペットの毛等をため込んでいる。そのため、排気ダストから多くのアレルギー物質や悪臭が放たれる原因となっており、ため込んだゴミを捨てる際にはフィルター掃除をする等、手間暇がかかっている。
【発明の開示】
【発明が解決しようとする課題】
【０００３】  従来の技術で述べたものは、吸い取ったゴミや埃、ペットの毛等を本体にため込むため、排気ダストからダニの糞や死骸が出たり悪臭の原因となっており、ペットの毛等により、本体が目詰まりを起こし故障の原因となっている。また、本体自体のフィルターが汚れることにより吸引力の低下を招くため、掃除機本体の掃除が必要であり二度手間である。【０００４】  そこで本発明は、掃除機の種類は問わずに着脱が容易で掃除機本体を汚すことなく、使い捨て可能な掃除機延長管用取り付け具の提供をしようとするものである。
【課題を解決するための手段】
【０００５】  本発明における掃除機延長管用取り付け具は、不織布やナイロン等ゴミや埃を絡めやすい素材からなる袋状のもので延長管へ取り付けることにより構成される。
【発明の効果】
【０００６】  本発明は以上に述べたように構成されているので、ゴミや埃ペットの毛等が本体に進入することがないため目詰まりを防ぎ、袋の部分にたまったゴミや埃は使用後、手を汚すことなく容易に取り外して捨てることが可能なため掃除機本体の衛生状態を常に最良に保つことができる。【０００７】  また、掃除機の種類を問わず着脱が可能であり、どのような掃除機にも使用できる上、本体に汚れがたまったまま掃除機をかけることによりかかる負荷を防げるため掃除機本体も長持ちし、電気代の節約にもなる。
【発明を実施するための最良の形態】
【０００８】  以下、本発明の実施の形態を図１〜図４に基づいて説明する。【０００９】  図１は、袋状からなる不織布本体１である。【００１０】  図２において、不織布本体１が延長管２に装着されている。【００１１】  図３、図４は、不織布本体１が延長菅２と延長ホース３により確実に装着されている。
【図面の簡単な説明】
【００１２】
【図１】  掃除機延長管用取り付け具の平面図
【図２】  延長管に装着した正面図
【図３】  延長管と延長ホースにより装着する際の斜視図
【図４】  延長菅と延長ホースにより装着後の正面図
【符号の説明】
【００１３】１  不織布本体
２  延長菅
３  延長ホース
【図１】
2009056276.tif 000003
【図２】
2009056276.tif 000004
【図３】
2009056276.tif 000005
【図４】
2009056276.tif 000006
(57)【要約】【課題】高齢者や体が不自由な人の介護に好適に使用されるオムツ用脱臭剤を提供する。【解決手段】蒸留水に対して酸性過酸化化合物を５０〜５重量％の比率にて溶解して原液とし、合成樹脂製のスプレー容器に注入してオムツに付着した排泄物などに噴霧して消臭させる。この酸性過酸化化合物は、プールや温泉施設などに利用されるモノ過硫酸水素カリウムを主成分とし、揮発性もなく人体に付着しても安全であり、しかも安価な消臭剤として多用される。【選択図】      なし【特許請求の範囲】
【請求項１】
蒸留水に対して酸性過酸化化合物を５０〜５重量％の比率にて溶解して原液とし、スプレー容器に注入して排泄物などに噴霧して消臭することを特徴とするオムツ用脱臭剤。
【請求項２】
前記酸性過酸化化合物は、モノ過硫酸水素カリウムを主成分とすることを特徴とする請求項１記載のオムツ用脱臭剤。
【発明の詳細な説明】
【技術分野】
【０００１】
本発明は、オムツ用脱臭剤に関し、とくに高齢者や体不自由な人の介護に好適に使用されるオムツ用脱臭剤に関するものである。
【背景技術】
【０００２】
近年、高齢化により介護の重要性が益々増加している。また被介護者ばかりでなく、介護する側の負担も増大している。
【０００３】
例えば、被介護者が排泄行為を自力で行なうことができない場合には、オムツの使用が一般的であるが、使用済みのオムツの取替えは、人手によるものでありオムツに付着した排泄物の処理に伴う悪臭は介護する側にとって大きな負担であった。この悪臭を劇的に消臭する方法として、塩素系の物質をオムツに使用することが考えられるが、人体と直接密着するものであり採用できないものであった。
【０００４】
そこで、人体への影響が少ない天然植物由来の物質の粉砕物を含有する天然消臭抗菌剤とこれを使用した衛生用品が提案されている（特許文献１参照。）。またフラボノイド含有の木材抽出物０．１〜５．０重量％と、香料０．２〜２．０重量％と、界面活性剤１．０〜１０．０重量％とを含む水溶液よりなる液体消臭剤もある（特許文献２参照。）。
【０００５】
【特許文献１】特開２００２−１１４６１７号公報
【特許文献２】特開平０７−１４８２３３号公報
【発明の開示】
【発明が解決しようとする課題】
【０００６】
しかしながら、上記特許文献１の技術は、天然植物由来の茶葉、どくだみ、よもぎ等を使用した粉砕物を使用するのもであるが、オムツ内に吸収される排泄物の消臭には効果が見られるものの、オムツの表面に残るほとんどの排泄物の消臭には何らの効果もないものであった。また、上記特許文献２の技術は、主に人尿の消臭を目的とし、複数の消臭成分を配合して使用するものであり、非常に高価であるという難点があった。
【０００７】
そこで上記の問題点に鑑み本発明者は、プールに使用される酸性過酸化化合物であるモノ過硫酸水素カリウムが消臭効果を有するとの知見から、鋭意研究の結果人体に触れても安心して使用することが可能であり、手軽にしかも安価に消臭するためスプレーによる液体噴霧手段と、それに最適な配合比率を見いだし、本発明の消臭剤を提供するにいたった。
【課題を解決するための手段】
【０００８】
このため本発明のオムツ用脱臭剤は、蒸留水に対して酸性過酸化化合物を５０〜５重量％の比率にて溶解して原液とし、スプレー容器に注入して排泄物などに噴霧して消臭することを第一の特徴とする。
【０００９】
また、前記酸性過酸化化合物は、モノ過硫酸水素カリウムを主成分とすることを第二の特徴とする。
【発明の効果】
【００１０】
本発明に係るオムツ用脱臭剤によれば、モノ過硫酸水素カリウムを主成分とする酸性過酸化化合物を使用し、蒸留水に溶解した原液をスプレーを使用してオムツに付着した排泄物に噴霧するため、極めて手軽であるという優れた効果を有する。
【００１１】
また、蒸留水に対して酸性過酸化化合物を５０〜５重量％の比率にて溶解しているため、非常に安価であるという効果を有する。
【００１２】
しかも、酸性過酸化化合物として、プールや温線施設に多用され人体に安全なモノ過硫酸水素カリウムを使用しているため、安心して使用することができるという優れた効果を有する。
【発明を実施するための最良の形態】
【００１３】
以下、本発明を詳細に説明する。
【００１４】
本発明に係るオムツ用脱臭剤は、
酸性過酸化化合物：５０〜５重量％
蒸留水：５０〜９５重量％
の液体からなり、合成樹脂製のスプレー容器に投入される。
【００１５】
酸性過酸化化合物として、本発明では粒状のモノ過硫酸水素カリウム（商品名オキソン：米国デュポン社製）を使用し、上記の比率で蒸留水に溶解して原液とし合成樹脂製のスプレー容器に投入した。この際、約一晩放置することによって完全に溶解することができ、また揮発性がないため密閉容器である必要もない。
【００１６】
酸性過酸化化合物の溶解比率としては、上述した５０〜５重量％の範囲であればよく、とくに５０重量％の比率の場合、短時間に高い消臭効果が生じる。尚、溶解比率が５重量％を下回る場合であっても消臭効果はみられるが、噴霧量を増やす必要がありコスト増となるため、少なくとも５重量％以上であれば消臭効果にあったコストとなる。
【００１７】
本発明のオムツ用脱臭剤を使用してオムツに付着した排泄物の消臭を行なう場合、合成樹脂製のスプレー容器に上記した溶解比率で溶解した消臭剤を投入して、オムツの排泄部に直接噴霧することによって、短時間で消臭効果を得ることができる。尚、本発明の消臭剤は介護が必要な高齢者用の紙オムツに限らず、幼児用或いはペット用の紙オムツでもよく、ペット用トイレに使用する場合にも有効である。
【００１８】
上記の構成からなる本発明のオムツ用脱臭剤は、モノ過硫酸水素カリウムを主成分とする酸性過酸化化合物を使用し、蒸留水に溶解した原液をスプレーを使用してオムツに付着した排泄物に噴霧するため、人体に安全であると共に、手軽に消臭することができる。しかも、溶解比率として５０〜５重量％の範囲であればよいため、安価である。
【実施例】
【００１９】
以下、本発明の実施例を説明する。
【００２０】
（消臭剤の調整）
粒状のモノ過硫酸水素カリウム（商品名オキソン：米国デュポン社製）５ｇを蒸留水９５０ｇに溶解し、消臭剤を調整し合成樹脂製スプレー容器に投入した。同様に粒状のモノ過硫酸水素カリウム（商品名オキソン：米国デュポン社製）５００ｇを蒸留水５００ｇに溶解して合成樹脂製スプレー容器に投入しオムツ用消臭剤として準備した。
【００２１】
介護施設において、使用済みのオムツを準備し、上記で用意した消臭剤をそれぞれ数回噴霧して臭気を確認した。
【００２２】
（結果）
モノ過硫酸水素カリウムを５００ｇ溶解した消臭剤を使用したものは、若干の反応臭は残るが、極めて短時間で排泄物の臭気を感じなくなった。また、モノ過硫酸水素カリウムを５０ｇ溶解した消臭剤の場合は反応臭もなく、消臭効果も充分なものであった。尚、追加として、５０ｇ未満のモノ過硫酸水素カリウムを溶解した消臭剤を準備して同様な試験を行なったが、噴霧回数を増しても排泄物の臭気が残った。
【００２３】
以上、本発明によるオムツ用脱臭剤によれば、人体に安心な酸性過酸化化合物を蒸留水に所定の溶解比率で溶解して、液体噴霧手段であるスプレーに投入してオムツに噴霧することによって手軽にしかも安価に排泄物の消臭作業を行なうことができる。
(57)【要約】【課題】手と足をマッサージする時、自らが希望する刺激で使用する事が出来るマッサージ用具を提供する。【解決手段】本体部分（１）に可動部分（２）を取り付け、可動穴（３）と本体穴（４）を一致させて高さを調節して、手刺激部分（５）か足刺激部分（６）に触れてマッサージを行う事を特徴とする。【選択図】図１
2009056281.tif 000002
【特許請求の範囲】
【請求項１】
本体部分（１）に可動部分（２）を取り付け、これらに可動穴（３）と本体穴（４）と手刺激部分（５）と足刺激部分（６）と固定用突起（７）を設けた、体重の負荷を利用して刺激の調節が出来るマッサージ用具。
【発明の詳細な説明】
【技術分野】
【０００１】この発明は、自分の体重の負荷を利用する事により、手足を望む強さに刺激出来るマッサージ用具に関するものである。
【背景技術】
【０００２】従来、電力を使用しない手のマッサージ用具には、トゲ状の球体や棒状の物があり、足には青竹踏みや突起の付いたプレートなどがあった。
【発明の開示】
【発明が解決しようとする課題】
【０００３】しかしながら、手の用具は自ら用具を持って体に押し当てたり、にぎったりして使用するため、疲れる事があり、また足の用具は、基本的に立って使用するのでバランスを保つため、足の部位によっては刺激しずらい箇所があり、また同じ用具を使用しても、人により刺激の感じ方に差が出る事があった。
【課題を解決するための手段】
【０００４】本体部分（１）に可動部分（２）を取り付け、数ヶ所あいている可動穴（３）と本体穴（４）を希望する高さに合わせて一致させた後、棒状の物を差し込んで固定する。
本発明は、以上の構成よりなるマッサージ用具である。
【発明の効果】
【０００５】本発明によれば、用具が固定されているので保持する必要がなく、手のひらに対する強い刺激でも、体の傾け方で楽に行う事が出来る。
足の刺激には、棒部分を両手でにぎるため、バランスが安定して、踵や足の側面を刺激部分に押し当てるような時も、ころびそうになる事はなくなる。
そして、手で棒を押す事で刺激を軽くして、棒を引っぱる事で刺激を強くするといった体重の負荷を利用した刺激のコントロールが出来るため、その人に最適のマッサージ効果が期待できる。また手足の刺激部分を取外し出来るような構成とすれば、突起状やボール状等の新しい形状の使用により、この用具１台で、多くのマッサージ効果を、自らが希望する強さで行う事ができる。さらに、足刺激部分は床より数センチ宙に浮いた状態であるので、足の踵を床に近づける事によりふくらはぎとアキレス腱の十分なストレッチ運動を行える機能も含んでいる。
【発明を実施するための最良の形態】
【０００６】本体部分（１）に可動部分（２）を上からかぶせる様に取り付け、数ヶ所あいている可動穴（３）と本体穴（４）を本人が希望する高さに合わせて一致させた後、棒状の物を差し込んで固定する。耐久性に問題が起こらないよう、基本的にすべての材質は金属である。
手部分の刺激は、モデルＡ（８）の様に、手刺激部分（５）に掌を押し当てる様に使用して、足部分はモデルＢ（９）の様に、可動部分（２）を両手でにぎり、足刺激部分（６）に乗る様な形で使用し、手のにぎる位置や引っぱる、押すなどの動作の変化により、足刺激の強さを調節する。なお片足を宙に浮かせる事により刺激は強くなる。【０００７】使用中に本体が傾かないように固定用突起（７）が付いている。【０００８】モデルＢ（９）の様に使用する時、足の踵を床に近づける様に下へずらすと、ふくらはぎとアキレス腱のストレッチ運動となる。【０００９】手刺激部分（５）と足刺激部分（６）を取外し可能な形体にする事で、さまざまな形の突起物を組み込んで、多様な刺激を体感する事が出来る。
また、使用中に足のすねやももの部分が用具に当たると、バランスが悪くなり、使用しずらいので、当りそうな部分は、やや内側に湾曲している形状が理想的である。
【図面の簡単な説明】
【００１０】
【図１】本発明の斜視図である。
【図２】本発明の側面図である。
【符号の説明】
【００１１】１  本体部分
２  可動部分
３  可動穴
４  本体穴
５  手刺激部分
６  足刺激部分
７  固定用突起
８  モデルＡ
９  モデルＢ
【図１】
2009056281.tif 000003
【図２】
2009056281.tif 000004
(57)【要約】【課題】  図形学習教材は平面の教材が多く見られ、学習度がすすむと平面から、立体へと移行して考えるとき、学習者が迷ってしまうことがよくあった。【解決手段】  平面でなく、立方体を基台として、各面に図形の基本形を配し面に片を取りつけて、図形を大きくしたりして、変化をもたせるようにした。【選択図】図３
2009075528.tif 000002
【特許請求の範囲】
【請求項１】
立方体を基台とし、その基台に基本図形があり、そこから接続する片を広げたり、閉じたりして学習する図形立方体。
【請求項２】
請求項１による図形の基本形を色別にして、色彩からも図形の認識度を図る図形立方体。
【発明の詳細な説明】
【技術分野】
【０００１】本発明は学習教材としての図形立方体に関する。
【背景技術】
【０００２】従来の図形学習教材は、平面の教材が多くみられ、学習者が平面から立方体へ移行して考えるとき混乱してしまう場合がよく見られた。
【特許文献１】実開平５−２９０６８
【特許文献２】公開実用新案公報  出願  昭６０（１９８５）５月２８日  多用途の教育玩具
【発明の開示】
【発明が解決しようとする課題】
【０００３】しかしながら平面の図形教材では、図形を並べているときに、図形が手や腕にふれて、ずれたり、動いたりする場合がよくあり、学習の進度がそのために遅れることもあった。
【課題をしようとするための手段】
【０００４】本発明は従来からの平面でなく、立方体を利用した図形教材である。任意の大きさの立方体を基台とし、おのおの各面に図形の基本図形をおさめそれに接続する片を広げたり、閉じたりして、学習できるようにする。また、図形の基本形を任意の色彩で色別にすることにより視覚からも図形の認識度を図ることができる。
【発明の効果】
【０００５】本発明は立方体の各面に、三角形、正方形、長方形、台形などを色別にしてあり三角形を知るとき図１のようにＡ面に接続する２、３の片を開くことにより大きな三角形となる。図２のように、細長い片を交互に広げることにより線が途中で切れていても三角形を形成していることが分かる。空間も線が続くことが分かる。また、図３のＢ面のように重なっている三角形の平面を見ることにより、色別の美しさ、三角形の大、小を知ることもできる。
【発明を実施するための最良の形態】
【０００６】本発明は基本となる図形を平面でなく立方体の基台におさめ、そこから接続する片を閉じたり、広げたりしながら、図形の変化を感覚でとらえ、色別にした基本図形から色の配合の美しさも養うようにする。
【実施例１】図１のように、四角１に接続している２、３の片を広げて、三角形にした図。
【実施例２】図３のＢ面は、三角形が重なり、色彩の美しさと三角形の組み合わせで、四角が構成されることが理解できる。
【実施例３】図４のＣ面に接続している片４を広げることにより、四角形が長方形に変化することが理解できる。
【実施例４】図５のＤ面に接続んしている片５は、階段状になり、１マスごとに線で区切ってあるので、１〜５までの数の合成や集合の理解に役立つ。
【実施例５】図６のＥ面に接続している片６を広げると台形となる。
以上のような構成となり、平面的教材と比べて学習者が操作することで基本の図形が大きくなったり、形が変化したりする図形立方体である。
【図面の簡単な説明】
【０００７】
【図１】  実施態様の三角形にした図
【図２】  実施態様の三角形にした図
【図３】  実施態様の四角の面に三角形が現れている図
【図４】  実施態様の長方形にした図
【図５】  実施態様の１〜５の数の集合の図
【図６】  実施態様の台形にした図
【符号の説明】
２−三角の片
３−一部に切り込みのある片
４−四角の片
５−区切り線のある片
６−Ｅに接続している片
Ａ〜Ｅ  正方形の各面
【図１】
2009075528.tif 000003
【図２】
2009075528.tif 000004
【図３】
2009075528.tif 000005
【図４】
2009075528.tif 000006
【図５】
2009075528.tif 000007
【図６】
2009075528.tif 000008
(57)【要約】【課題】  従来から、企業が膨大な広告宣伝費を使い、飲食店情報、不動産賃貸情報、求人情報、旅行情報を雑誌などの印刷物に掲載している。これにより、膨大な広告宣伝費が必要であるとともに雑誌に使用する紙などの資源を膨大に消費する環境破壊の原因となる。本発明は、このような問題を解決することを課題とする。【解決手段】  本発明は、利用者がコンピューター及び携帯電話からインターネットサイト上のサーバーに蓄積された飲食店情報、不動産賃貸情報、求人情報、旅行情報の動画ファイル及び音声ファイルを視聴することにより、情報を得ることを可能にする。これにより、この課題を解決する。【選択図】なし【特許請求の範囲】
【請求項１】
本発明は、利用者がコンピューター及び携帯電話からインターネットサイト上のサーバーに蓄積された飲食店情報、不動産賃貸情報、求人情報、旅行情報の動画ファイル及び音声ファイルを視聴することにより、情報を得ることを可能にする広告宣伝システム。
【発明の詳細な説明】
【技術分野】
【０００１】  本発明は、利用者がコンピューター及び携帯電話からインターネットサイト上のサーバーに蓄積された飲食店情報、不動産賃貸情報、求人情報、旅行情報の動画ファイル及び音声ファイルを視聴することにより、情報を得ることを可能にする広告宣伝システムである。
【背景技術】
【０００２】  従来から、企業が膨大な広告宣伝費を使い、飲食店情報、不動産賃貸情報、求人情報、旅行情報を雑誌などの印刷物に掲載している。
【発明の開示】
【発明が解決しようとする課題】
【０００３】  しかし、従来のような方法では、膨大な広告宣伝費が必要であるとともに雑誌に使用する紙などの資源を膨大に消費することにより環境破壊の原因となる。本発明は、このような問題を解決することを課題とする。
【課題を解決するための手段】
【０００４】  この課題を解決するための請求項１の発明は、利用者がコンピューター及び携帯電話からインターネットサイト上のサーバーに蓄積された飲食店情報、不動産賃貸情報、求人情報、旅行情報の動画ファイル及び音声ファイルを視聴することにより、情報を得ることを可能にする。これにより、膨大な広告宣伝費及び雑誌に使用する紙などの資源を膨大に消費することにより環境破壊の原因となる問題を解決することができる。
【発明の効果】
【０００５】  本発明により、利用者がコンピューター及び携帯電話のインターネットサイト上から飲食店情報、不動産賃貸情報、求人情報、旅行情報の動画ファイル及び音声ファイルを視聴することができる。これにより、膨大な広告宣伝費及び雑誌に使用する紙などの資源を膨大に消費する環境破壊の原因となる問題を解決することができる。また、動画ファイル及び音声ファイルを使用することにより、雑誌などの印刷物では表現できない情報を利用者に提供でき、企業などの宣伝効果促進につながる。
【発明を実施するための最良の形態】
【０００６】  本発明は、インターネット上のホームページで利用されるのが望ましい。
【産業上の利用可能性】
【０００７】  本発明は、企業などの宣伝効果促進につながるため、産業上の利用可能性を有する。